(57)【要約】【課題】広告依頼主の広告放送を視聴者に確実に視聴してもらうことができる広告依頼方法、付加情報提供方法、放送受信機及び放送システムを提供する。【解決手段】本実施の形態の放送システムは、放送事業者（放送局）２は、広告依頼主１から放送する広告に広告選択情報を付加する依頼を受け付ける受付手段と、広告選択情報の付加依頼を受け付ける際、広告料に加算される広告選択情報付加料金を収納する収納手段と、広告選択情報の付加依頼のあった広告に対しては前記広告選択情報を放送信号に付加して送出する送信手段とを備え、録画機能付きデジタル放送受信機３は、放送を受信し選局するチューナ１１と、広告検出部１２と、受信した放送信号から広告選択情報を検出する広告選択情報検出部１３と、広告選択情報の付加された広告を選択的に記録再生する記録部１５とを備える。【選択図】  図２
2004246205.tif 000002
【特許請求の範囲】
【請求項１】
放送局と、該放送局から送信される番組情報を受信及び再生する放送受信機とを含む放送システムで使用される広告依頼方法であって、
前記放送局では、
広告依頼主から放送する広告に広告選択情報を付加する依頼を受け付けるステップと、
前記広告選択情報の付加依頼を受け付ける場合、広告料に加算される広告選択情報付加料金を収納するステップと、
前記広告選択情報の付加依頼のあった広告に対しては前記広告選択情報を放送信号に付加して送出するステップと
を有することを特徴とする広告依頼方法。
【請求項２】
さらに、前記広告選択情報の重み付けに応じた付加料金を収納するステップと、
前記広告選択情報に対して前記付加料金に応じた重み付けをするステップと
を有することを特徴とする請求項１記載の広告依頼方法。
【請求項３】
放送局と、該放送局から送信される番組情報を受信及び再生する放送受信機とを含む放送システムで使用される付加情報提供方法であって、
前記放送局では、
付加情報依頼主から放送に付加情報を付加する依頼を受け付けるステップと、
前記付加情報の付加依頼を受け付ける場合、付加情報付加料金を収納するステップと、
前記付加情報の付加依頼のあった放送に対しては前記付加情報を放送信号に付加して送出するステップと
を有することを特徴とする付加情報提供方法。
【請求項４】
放送局と、該放送局から送信される番組情報を受信及び再生する放送受信機とを含む放送システムにおいて、
前記放送局は、
広告依頼主から放送する広告に広告選択情報を付加する依頼を受け付ける受付手段と、
前記広告選択情報の付加依頼を受け付ける際、広告料に加算される広告選択情報付加料金を収納する収納手段と、
前記広告選択情報の付加依頼のあった広告に対しては前記広告選択情報を放送信号に付加して送出する送信手段とを備え、
前記放送受信機は、
放送を受信し選局する受信手段と、
受信した放送信号から広告選択情報を検出する広告選択情報検出手段と、
前記広告選択情報の付加された広告を選択的に記録及び／又は再生する記録再生手段とを備えることを特徴とする放送システム。
【請求項５】
前記放送受信機は、前記広告選択情報の付加された広告についてはスキップ又は早送りによる視聴の拒絶を禁止する禁止手段をさらに備えることを特徴とする請求項４記載の放送システム。
【請求項６】
前記請求項４又は５に記載の放送システムにおいて、
放送受信機を製造するメーカは、前記受信機の実売台数に応じた所定料金を広告料として収納する収納手段を備えることを特徴とする放送システム。
【請求項７】
前記放送局は、
前記広告選択情報に広告料に応じた重み付けをする重み付け手段を備え、
前記送信手段は、前記重み付けされた広告選択情報を放送信号に付加して送出し、
前記放送受信機の前記広告選択情報検出手段は、受信した放送信号から重み付けされた広告選択情報を検出し、
前記記録再生手段は、重み付けされた広告選択情報の重み付けに応じて広告を記録及び／又は再生することを特徴とする請求項４記載の放送システム。
【請求項８】
前記放送局の前記収納手段は、
前記広告選択情報の重み付けに応じた前記広告選択情報付加料金を収納することを特徴とする請求項７載の放送システム。
【請求項９】
さらに、前記放送受信機は、広告選択のレベルを設定する広告選択レベル設定手段を備え、
前記記録再生手段は、前記広告選択レベルに基づいて前記重み付けされた広告選択情報の付加された広告に対して選択的に記録及び／又は再生することを特徴とする請求項７又は８に記載の放送システム。
【請求項１０】
放送局から送信される番組情報を受信及び再生する放送受信機において、
広告選択情報が付加された放送信号に受信し選局する受信手段と、
受信した放送信号から広告選択情報を検出する広告選択情報検出手段と、
前記広告選択情報の付加された広告を選択的に記録及び／又は再生する記録再生手段とを備えることを特徴とする放送受信機。
【請求項１１】
前記広告選択情報の付加された広告についてはスキップ又は早送りによる視聴の拒絶を禁止する禁止手段をさらに備えることを特徴とする請求項１０記載の放送受信機。
【請求項１２】
前記広告選択情報検出手段は、受信した放送信号から重み付けされた広告選択情報を検出し、
前記記録再生手段は、重み付けされた広告選択情報の重み付けに応じて広告を記録及び／又は再生することを特徴とする請求項１０記載の放送受信機。
【請求項１３】
さらに、広告選択のレベルを設定する広告選択レベル設定手段を備え、
前記記録再生手段は、前記広告選択レベルに基づいて前記重み付けされた広告選択情報の付加された広告に対して選択的に記録及び／又は再生することを特徴とする請求項１０又は１２に記載の放送受信機。
【発明の詳細な説明】
【０００１】
【発明の属する技術分野】
本発明は、放送局とこの放送局から送信される番組情報を受信及び再生する放送受信機とを含む放送システムで使用される広告依頼方法、付加情報提供方法、放送受信機及び放送システムに関する。
【０００２】
【従来の技術】
地上波による放送や衛星放送、ＣＡＴＶなどの放送システムでは、コマーシャル（ＣＭ）の導入により伝送コストやコンテンツに対するコストを視聴者に代わってＣＭのスポンサーが肩代わりすることにより、視聴者はリーズナブルなコストでサービスを受けることができるようになっている。これを実現するために現行の放送システムでは放送局側で番組内容にＣＭを挿入して送信している。
【０００３】
広告記録時における広告選択方法については、例えば特許文献１では、視聴者がＣＭに対する自分の嗜好を制限部で登録し、放送番組には対応するＣＭの候補を参照する信号のみを多重し、受信側では蓄積されたＣＭの中からを参照信号と視聴者の嗜好を基にＣＭが選択され、番組に挿入される。視聴者が広告放送を取捨選択する方法が記載されている。
【特許文献１】
特開平１０−７９７１１号公報（図１）
【０００４】
【発明が解決しようとする課題】
このような従来のコマーシャル情報選択再生方法にあっては、視聴者が広告を取捨選択する方法であったため、広告放送を視聴してもらいたい広告依頼主が依頼主の広告を確実に視聴してもらうことが困難であるという問題点があった。
【０００５】
本発明は、このような課題に鑑みてなされたものであって、広告依頼主の広告放送を視聴者に確実に視聴してもらうことができる広告依頼方法、付加情報提供方法、放送受信機及び放送システムを提供することを目的とする。
【０００６】
【課題を解決するための手段】
本発明の広告依頼方法は、放送局と、該放送局から送信される番組情報を受信及び再生する放送受信機とを含む放送システムで使用される広告依頼方法であって、前記放送局では、広告依頼主から放送する広告に広告選択情報を付加する依頼を受け付けるステップと、前記広告選択情報の付加依頼を受け付ける場合、広告料に加算される広告選択情報付加料金を収納するステップと、前記広告選択情報の付加依頼のあった広告に対しては前記広告選択情報を放送信号に付加して送出するステップとを有することを特徴としている。
【０００７】
さらに、前記広告選択情報の重み付けに応じた付加料金を収納するステップと、前記広告選択情報に対して前記付加料金に応じた重み付けをするステップとを有することがより好ましい。
【０００８】
本発明の付加情報提供方法は、放送局と、該放送局から送信される番組情報を受信及び再生する放送受信機とを含む放送システムで使用される付加情報提供方法であって、前記放送局では、付加情報依頼主から放送に付加情報を付加する依頼を受け付けるステップと、前記付加情報の付加依頼を受け付ける場合、付加情報付加料金を収納するステップと、前記付加情報の付加依頼のあった放送に対しては前記付加情報を放送信号に付加して送出するステップとを有することを特徴としている。
【０００９】
本発明の放送システムは、放送局と、該放送局から送信される番組情報を受信及び再生する放送受信機とを含む放送システムにおいて、前記放送局は、広告依頼主から放送する広告に広告選択情報を付加する依頼を受け付ける受付手段と、前記広告選択情報の付加依頼を受け付ける際、広告料に加算される広告選択情報付加料金を収納する収納手段と、前記広告選択情報の付加依頼のあった広告に対しては前記広告選択情報を放送信号に付加して送出する送信手段とを備え、前記放送受信機は、放送を受信し選局する受信手段と、受信した放送信号から広告選択情報を検出する広告選択情報検出手段と、前記広告選択情報の付加された広告を選択的に記録及び／又は再生する記録再生手段とを備えることを特徴としている。
【００１０】
また、前記放送受信機は、前記広告選択情報の付加された広告についてはスキップ又は早送りによる視聴の拒絶を禁止する禁止手段をさらに備えるものであってもよい。
【００１１】
本発明の放送システムにおいて、放送受信機を製造するメーカは、前記受信機の実売台数に応じた所定料金を広告料として収納する収納手段を備えることを特徴としている。
【００１２】
また、前記放送局は、前記広告選択情報に広告料に応じた重み付けをする重み付け手段を備え、前記送信手段は、前記重み付けされた広告選択情報を放送信号に付加して送出し、前記放送受信機の前記広告選択情報検出手段は、受信した放送信号から重み付けされた広告選択情報を検出し、前記記録再生手段は、重み付けされた広告選択情報の重み付けに応じて広告を記録及び／又は再生することがより好ましい。
【００１３】
前記放送局の前記収納手段は、前記広告選択情報の重み付けに応じた前記広告選択情報付加料金を収納するものであってもよい。
さらに、前記放送受信機は、広告選択のレベルを設定する広告選択レベル設定手段を備え、前記記録再生手段は、前記広告選択レベルに基づいて前記重み付けされた広告選択情報の付加された広告に対して選択的に記録及び／又は再生するものであってもよい。
【００１４】
本発明の放送受信機は、放送局から送信される番組情報を受信及び再生する放送受信機において、広告選択情報が付加された放送信号に受信し選局する受信手段と、受信した放送信号から広告選択情報を検出する広告選択情報検出手段と、前記広告選択情報の付加された広告を選択的に記録及び／又は再生する記録再生手段とを備えることを特徴としている。
【００１５】
また、前記広告選択情報の付加された広告についてはスキップ又は早送りによる視聴の拒絶を禁止する禁止手段をさらに備えるものであってもよい。
また、前記広告選択情報検出手段は、受信した放送信号から重み付けされた広告選択情報を検出し、前記記録再生手段は、重み付けされた広告選択情報の重み付けに応じて広告を記録及び／又は再生するものであってもよい。
【００１６】
さらに、広告選択のレベルを設定する広告選択レベル設定手段を備え、前記記録再生手段は、前記広告選択レベルに基づいて前記重み付けされた広告選択情報の付加された広告に対して選択的に記録及び／又は再生するものであってもよい。
【００１７】
【発明の実施の形態】
以下、添付図面を参照しながら本発明の好適な広告依頼方法、放送受信機及び放送システムの実施の形態について詳細に説明する。
【００１８】
図１は、本発明の実施の形態の広告依頼方法の構成を示す図である。本実施の形態に係る放送受信機は、デジタル放送の電波を受信可能なデジタル放送受信機能及び記録再生機能を備えたテレビジョン受信機に適用した例である。
【００１９】
図１において、１は放送を用いた広告を依頼する広告依頼者、２は地上波による放送や衛星放送、ＣＡＴＶなどの放送局を運営する放送事業者（放送局）、３は放送局から送信される番組情報を記録及び再生する録画機能付きデジタル放送受信機である。
【００２０】
広告依頼方法は、広告依頼主が放送局に放送を依頼する広告に広告選択情報を付加してくれるよう依頼する段階（ステップ）１と、依頼主が通常の広告料に加算して定められた広告選択情報付加代金を定められた方法で放送局に対して支払う段階（ステップ）２と、依頼のあった広告に対してのみ広告選択情報を放送局から放送信号に付加して送出する段階（ステップ）３とからなる。
【００２１】
放送事業者（放送局）２は、広告依頼主１から放送する広告に広告選択情報を付加する依頼を受け付ける受付手段と、広告選択情報の付加依頼を受け付ける際、広告料に加算される広告選択情報付加料金を収納する収納手段と、広告選択情報の付加依頼のあった広告に対しては広告選択情報を放送信号に付加して送出する送信手段とを備える。上記受付手段及び収納手段は、例えば放送局に設置された専用端末やパーソナルコンピュータ等の情報処理装置において、広告依頼主１からの広告及び広告選択情報の依頼内容及び料金をデータとして入力する入力装置である。この場合、放送局に設置された情報処理装置には、広告や広告選択情報そのための付加料金などを蓄積したデータベースが予め構築されており、広告依頼主１は表示装置の表示画面でサンプル画面を参照しながらインタラクティブに該当項目を入力することができる。なお、広告依頼主１が、放送局に放送を依頼する広告に広告選択情報を付加してくれるよう依頼する手段と、依頼主は広告料に加算して定められた広告選択情報付加代金を放送局に対して支払う手段は、上記に限らずどのような方法であってもよい。
【００２２】
また、上記送信手段とは、具体的には、番組を送信するため回線や放送局である。放送局では、複数の番組が多重され、各番組には対応するＣＭ情報候補を特定するための番組対応ＣＭ情報が番組ごとに多重される。広告選択情報は番組対応ＣＭ情報にデータとして多重される。
【００２３】
本広告依頼方法は、上述したような構成としているので、放送事業者２が通常の広告料に加算して利益を得ることが可能となる。
また、広告依頼主１は対応受信機３で視聴者に確実に広告を見てもらうことが可能となる。
【００２４】
図２は、上記録画機能付きデジタル放送受信機３の機能を説明するブロック図である。
図２において、録画機能付きデジタル放送受信機３は、放送を受信し選局するチューナ１１（受信手段）と、受信した放送信号から広告情報を検出する広告検出部１２と、検出した広告情報に広告選択情報が付加されているか否かを判別し、該広告選択情報を検出する広告選択情報検出部１３（広告選択情報検出手段）と、前記広告選択情報の付加された広告にユーザがスキップあるいは早送り等で視聴を拒絶することができないようにするスキップ／早送り禁止情報を付加するスキップ／早送り禁止情報付加部１４（禁止手段）と、広告選択情報の付加された広告のみを選択的に記録する記録部１５（記録再生手段）とを備えて構成される。
【００２５】
なお、上記放送受信機３は、広告選択情報の付加された広告を選択的に記録及び／又は再生できるものであればよく、広告選択情報の付加された広告を再生する再生専用機、又は表示する機能のみの表示装置であってもよい。
【００２６】
以上の構成において、録画機能付きデジタル放送受信機３は、広告選択情報検出部１３により広告放送から広告選択情報を検出し、スキップ／早送り禁止情報付加部１４は広告選択情報の付加された広告に、スキップ／早送り禁止情報を付加する。記録部１５では、広告放送に広告選択情報の付加された広告のみを選択的に記録する。また、記録部１５に、選択的に記録した広告は、通常、図示しない再生手段のみが起動する。また、上記スキップ／早送り禁止情報が付加されている広告情報についてはスキップ／早送り制御が無効とされる。
【００２７】
これにより、放送信号中の広告のうち、広告選択情報が付加された広告に関して、本デジタル放送受信機３を購入したデジタル放送視聴者に対して、必ず該当広告を視聴してもらうことが可能となる。
【００２８】
図３は、上記録画機能付きデジタル放送受信機３を製造したメーカに対する広告依頼主の広告依頼方法の構成を示す図である。図１及び図３と同一構成部分には同一符号を付している。
【００２９】
図３において、４は録画機能付きデジタル放送受信機３を製造したメーカ、５は録画機能付きデジタル放送受信機３を所有する視聴者、６は視聴者５に販売された録画機能付きデジタル放送受信機３の販売台数のデータである。
【００３０】
本広告依頼方法は、上記録画機能付きデジタル放送受信機３を製造したメーカ４に対して、広告依頼主１が該当する受信機３の実売台数に応じて広告放送期間定められた料金を定められた方法で支払う段階（ステップ）１１を含んで構成されている。
【００３１】
図３の例では、広告依頼主１が製造メーカ４に対して録画機能付きデジタル放送受信機３の実売台数に応じた料金を所定の方法により支払うものである。
メーカ４は、受信機３の実売台数に応じた所定料金を広告料として収納する収納手段を備える。この収納手段は、図１で述べた放送事業者（放送局）２が備える収納手段と同様な構成をとることができる。
【００３２】
上記広告依頼方法によれば、一般に広告（ＣＭ）スキップ機能など視聴者が広告を見なくても済むような録画機を開発する傾向がある受信機開発メーカに対し、コストメリットを発生させることにより、図２で述べた機能を持つ録画機能付きデジタル放送受信機３（以下、本受信機という）を開発させることが可能となる。また、受信機の価格設定時に上記コストメリットを考慮することができるので、受信機の販売価格を低く設定することができ、自社の受信機の市場競争力を高めることが可能となる。一方、視聴者にとっては、安く受信機を購入することが可能となる。
【００３３】
また、視聴者に確実に広告を見てもらうことにより例えば商品の広告の場合、広告（ＣＭ）スキップ機能などを用いるユーザが存在するため確実には見てもらえない商品の広告と比較して、該当商品を多くの人々に認知してもらうことができ、商品の売り上げを向上させることが可能となる。さらに、広告依頼主が広告料を支払ってまで広告を行う理由である広告依頼主の販売する商品を多くの人々に認知してもらうことができ、該当商品が目的のとおり売れれば、広告依頼主は商品の市場競争力をより高めるため商品の売価を下げることが可能となる。したがって、該当商品の購入者にとっても、より安く購入することができるというメリットを発生させることが可能となる。
【００３４】
本広告依頼方法を受信機購入者に容易に認知してもらうためには以下の方法が考えられる。一般に、受信機製造メーカが広告（ＣＭ）スキップ機能などを録画機能付き受信機に実装するのは、広告を見たくないというユーザの要求に応えるためであり、そのことにより商品価値を高めるためである。したがって、本受信機が、図２で述べた機能を備えているという理由で購入を敬遠するユーザも存在することが考えられる。これは、本受信機であることを明示することにより対処することができる。すなわち、本受信機であることとそのメリットを予め明示することにより、ユーザは購入時に、本受信機であることを知った上で受信機を安く購入することができるなどのメリットを考慮して購入候補として考えてもらう。
また、購入に際し、パンフレット等に明記される形で明示されていれば、本受信機であることを知らなかったとするクレームに容易に対応することができる。
【００３５】
図４は、本発明の実施の形態の広告依頼方法の他の構成を示す図である。図１と同一構成部分には同一符号を付している。
図４において、広告依頼方法は、広告依頼主１が放送局に放送を依頼する広告に重み付けを持った広告選択情報を付加してくれるよう依頼する段階（ステップ）２１と、広告依頼主が通常の広告料に加算して定められた広告選択情報付加代金を依頼した重み付けに応じて定められた方法で放送局に対して支払う段階（ステップ）２２と、依頼のあった広告に対してのみ重み付けされた広告選択情報を放送局から放送信号に付加して送出する段階（ステップ）２３とからなる。
【００３６】
本広告依頼方法によれば、図１で述べた広告以来方法と同様に、放送事業者２が通常の広告料に加算して利益を得ることが可能となる。また、広告依頼主１は本受信機３によって確実に広告を見てもらうことが可能となる。
【００３７】
さらに、広告依頼主１は放送事業者２に対して広告料と重み付けに応じた選択情報付加料を支払うようにしている。確実に見てもらいたい広告の場合、できれば見てもらいたい広告の場合、あるいは放送事業者へ支払いが可能な額内に料金を収めたい場合などの各種ケースに応じて、選択情報付加料の重み付けを選択することが可能となる。これにより、例えば重み付けが大きい選択情報付加料の広告については本受信機３によって確実に広告を見てもらうようにし、重み付けがより小さい選択情報付加料の広告については、ＣＭの放送時間帯や放送期間、ＣＭ放送回数（頻度）、地域等を限るなど、広告対象を限定することができる。
【００３８】
図５は、録画機能付きデジタル放送受信機３の機能を説明するブロック図である。図２と同一構成部分には同一符号を付して重複箇所の説明を省略する。
図５において、録画機能付きデジタル放送受信機３は、さらに、検出した広告情報に広告選択情報が付加されているか否かを判別し、該広告選択情報を検出するとともに、広告選択情報が付加されていた場合の重み付けを検出する広告選択情報及び重み付け検出部２１と、ユーザが設定した広告選択レベルを読み出す広告選択レベル読み出し部２２（広告選択レベル設定手段）とを備える。
【００３９】
また、スキップ／早送り禁止情報付加部１４は、重み付け広告選択情報の付加された広告に対して、ユーザ設定レベルに従ってユーザがスキップあるいは早送り等で視聴を拒絶することができないようにする。図５では、スキップ／早送り禁止情報付加部１４は、広告選択レベル読み出し部２２で読み出されたユーザ設定レベルより広告選択情報の重み付けが重いとき、広告選択情報の付加された広告にユーザがスキップあるいは早送り等で視聴を拒絶することができないようにするスキップ／早送り禁止情報を付加し、重み付け広告選択情報の付加された広告に対して、ユーザ設定レベルに基づいて、通常再生のみ起動する構成とする。
【００４０】
本広告記録方法によれば、放送信号中の広告のうち、重み付けがされた広告選択情報が付加された広告に関して、本受信機３を購入したデジタル放送視聴者に対して、より確実に該当広告を視聴してもらうことが可能となる。この場合、ユーザが広告選択レベルを設定可能とすることで、ユーザにとっての広告選択の自由度を高めることができる。例えば、ユーザは広告に付加された重み付けを確認することができるので、ユーザがある特定の広告を記録したいが、現在設定してあるレベルでは記録されないとき、設定レベルを変更して記録されるようにするなどの操作が可能である。
【００４１】
以上のように、本実施の形態の放送システムは、放送事業者（放送局）２は、広告依頼主１から放送する広告に広告選択情報を付加する依頼を受け付ける受付手段と、広告選択情報の付加依頼を受け付ける際、広告料に加算される広告選択情報付加料金を収納する収納手段と、広告選択情報の付加依頼のあった広告に対しては前記広告選択情報を放送信号に付加して送出する送信手段とを備え、録画機能付きデジタル放送受信機３は、放送を受信し選局するチューナ１１と、広告検出部１２と、受信した放送信号から広告選択情報を検出する広告選択情報検出部１３と、広告選択情報の付加された広告を選択的に記録再生する記録部１５とを備え、広告依頼方法は、広告依頼主１が、放送局に放送を依頼する広告に広告選択情報を付加してくれるよう依頼する段階と、広告依頼主１は広告料に加算して定められた広告選択情報付加代金を放送局に対して支払う段階と、依頼のあった広告に対してのみ広告選択情報を放送局から送出される放送信号に付加する段階とから構成されるので、広告依頼主が広告をユーザに必ず視聴してもらうことが可能になるとともに、受信機メーカに対応受信機を製造してもらうことができ、ユーザにとっては安価な受信機が提供されて購入が可能になる。
【００４２】
なお、本発明の広告依頼方法、付加情報提供方法、放送受信機及び放送システムは、上述の実施の形態に限定されるものではなく、本発明の要旨を逸脱しない範囲内において種々変更を加え得ることは勿論である。例えば、上述したような記録再生装置付放送受信機に適用することもできるが、これには限定されず、全てのシステムに適用可能である。記録再生装置やテレビジョン受信機の通信機能として組み込まれたものでもよい。
【００４３】
また、放送情報の種類及び広告の種類はどのようなものでもよい。本広告依頼方法にいう広告とは、いわゆるＣＭのほか、ＣＭの形態をとらない交通情報や環境情報（花粉情報など）、さらには緊急情報も含む概念であって付加情報を提供するものであれば狭義のＣＭには限定されない。
【００４４】
また、本実施の形態では広告依頼方法、付加情報提供方法、放送受信機及び放送システムという名称を用いたが、これは説明の便宜上であり、広告代金支払いシステム、コマーシャル情報選択再生方法等であってもよいことは勿論である。
【００４５】
さらに、上記放送局、放送受信機を構成するシステムの制御装置、記憶装置等の種類、データベースに記憶されるデータの種類、選択方法、画面表示方法などは前述した実施形態に限られない。
【００４６】
【発明の効果】
以上、詳述したように、本発明によれば、放送信号中の広告のうち、広告選択情報が付加された広告に関して、本受信機を購入した放送視聴者に対して、必ず当該広告を視聴してもらうことができる。
【００４７】
また、放送事業者は通常の広告料に加算して利益を得ることができる。さらに、受信機メーカに対応受信機を製造してもらうことができ、ユーザにとっては安価な受信機の購入が可能になる。
【図面の簡単な説明】
【図１】本発明の実施の形態の広告依頼方法の構成を示す図である。
【図２】本実施の形態の録画機能付きデジタル放送受信機の機能を説明するブロック図である。
【図３】本実施の形態の録画機能付きデジタル放送受信機を製造したメーカに対する広告依頼主の広告依頼方法の構成を示す図である。
【図４】本発明の実施の形態の広告依頼方法の他の構成を示す図である。
【図５】本実施の形態の録画機能付きデジタル放送受信機の機能を説明するブロック図である。
【符号の説明】
１  広告依頼者
２  放送事業者（放送局）
３  録画機能付きデジタル放送受信機
４  製造メーカ
５  視聴者
６  放送受信機の販売台数のデータ
１１  チューナ（受信手段）
１２  広告検出部
１３  広告選択情報検出部（広告選択情報検出手段）
１４  スキップ／早送り禁止情報付加部（禁止手段）
１５  記録部（記録再生手段）
２１  広告選択情報及び重み付け検出部
２２  広告選択レベル読み出し部（広告選択レベル設定手段）
【図１】
2004246205.tif 000003
【図２】
2004246205.tif 000004
【図３】
2004246205.tif 000005
【図４】
2004246205.tif 000006
【図５】
2004246205.tif 000007